(57)【要約】【課題】撮影モードに応じて、最適な印刷用紙種類を自動的に処理し、処理を加えた画像をその場ですぐにプリントアウトが得られ、画質を向上させたプリント内蔵カメラを提供すること。【解決手段】被写体の光学像を電子像信号に変換する撮像手段と、前記撮像手段によって撮像された電子像信号を記録用紙にプリント出力するプリンタ装置と、少なくとも１つ以上の撮像モードを設定する撮像モード設定手段と、撮像された被写体の撮像モードを検出する検出手段とを有し、検出された撮像モードに応じて、プリンタ装置内に装着された少なくとも１種類以上の印刷用紙を選択する。【選択図】図２
2005144746.tif 000002
【特許請求の範囲】
【請求項１】
被写体の光学像を電子像信号に変換する撮像手段と、前記撮像手段によって撮像された電子像信号を記録用紙にプリント出力するプリンタ装置と、少なくとも１つ以上の撮像モードを設定する撮像モード設定手段と、撮像された被写体の撮像モードを検出する検出手段とを有し、検出された撮像モードに応じて、プリンタ装置内に装着された少なくとも１種類以上の印刷用紙を選択することを特徴とするプリンタ内蔵カメラ。
【請求項２】
被写体の光学像を電子像信号に変換する撮像手段と、前記撮像手段によって撮像された電子像信号を記録用紙にプリント出力するプリンタ装置と、少なくとも１つ以上の撮像モードを設定する撮像モード設定手段と、撮像された被写体の撮像モードを検出する検出手段とを有し、検出された撮像モードに応じて、プリンタ装置内に装着された少なくとも１種類以上のインクを選択することを特徴とするプリンタ内蔵カメラ。
【請求項３】
被写体の光学像を電子像信号に変換する撮像手段と、前記撮像手段によって撮像された電子像信号を記録用紙にプリント出力するプリンタ装置と、少なくとも１つ以上の撮像モードを設定する撮像モード設定手段と、撮像された被写体の撮像モードを検出する検出手段とを有し、検出された撮像モードに応じて、プリンタ装置内に装着された少なくとも１種類以上の印刷用紙若しくはインクを自動的に選択することを特徴とするプリンタ内蔵カメラ。
【請求項４】
インクとは水性インク又は油性インクであり、印刷用紙とは高画質印刷用紙又は普通画質印刷用紙であることを特徴とする請求項１〜３の何れかに記載のプリンタ内蔵カメラ。
【発明の詳細な説明】
【技術分野】
【０００１】
本発明は、プリンタ内蔵カメラに関し、詳しくは静止画を記録するカメラと画像プリンタを一体的に構成したプリンタ内蔵カメラに関するものである。
【背景技術】
【０００２】
従来から撮影したその場で写真プリントを見たいという声があった。これらに対して特許文献１〜３等に記載された装置や、特許文献４に記載されたフイルムカートリッジ等のインスタントカメラ及びインスタントフイルムによって撮影後短時間でプリントが見られるシステムが開示されている。
【０００３】
しかしながら、従来例の装置においては、以下のような問題点を有していた、
１）撮影された瞬間の画像は、全てインスタントフイルム上に記録されるのみであり、特に複数枚のプリントを得ようとしても、インスタントフイルム上に形成された画像をコピーするしかなく、その原画の保存方法等が銀塩フイルムに比べて不便である。
【０００４】
２）全てのシーンがその場でプリントする必要性が高いとは限らないが、インスタント写真ではその場でプリントしないで後でプリントするといったことができない。
【０００５】
このようなインスタント写真の欠点を補う方法として、固体撮像素子等の電子的な撮像手段によって撮像した画像情報をメモリに取り込んで、これを任意にプリントするようにしたプリンタ付きカメラが考えられる。
【０００６】
特に、カラーの画像情報をプリントするのに用いられるプリンタ装置は、一般的に、１）溶融型熱転写プリンタ、２）昇華型熱転写プリンタ、３）インクジェット型プリンタ等がある。この中でもインクジェット型プリンタはランニングコストが低く、小型化、省電力、出力スピード等において優れており、携帯性を必要とするプリント付きカメラとして大変有効な手段である。
【０００７】
プリンタ付きカメラの例として特許文献５，６等において、固体撮像素子等によって電気的に撮像した情報をプリントするプリント付きカメラが開示されている。
【０００８】
【特許文献１】米国特許第３，７０９，１２２号公報
【特許文献２】米国特許第３，７２７，５２９号公報
【特許文献３】米国特許第４，０００，５００号公報
【特許文献４】米国特許第３，７０７，１１６号公報
【特許文献５】米国特許第４，０７４，３２４号公報
【特許文献６】特開昭５４−１３６３２５号公報
【発明の開示】
【発明が解決しようとする課題】
【０００９】
以上述べたプリント内蔵のカメラは、カメラとプリントという新しいジャンルの複合機器であり、プリント画質においては未だ十分こなれたものではない。
【００１０】
そこで、本発明に係る第１の目的は、撮影モードに応じて、最適な印刷用紙種類を自動的に処理し、処理を加えた画像をその場ですぐにプリントアウトが得られ、画質を向上させたプリント内蔵カメラを得ることを目的とする。
【００１１】
本発明に係る第２の目的は、撮影モードに応じて、最良のインク種類を自動的に処理し、処理を加えた画像をその場ですぐにプリントアウトが得られ、コストパフォーマンスを向上させたプリント内蔵カメラを得ることを目的とする。
【００１２】
本発明に係る第３の目的は、撮影モードに応じて、インクと印刷用紙種類を自動的に最適な組合せを処理し、処理を加えた画像をその場ですぐにプリントアウトが得られ、画質とコストパフォーマンスを向上させたプリント内蔵カメラを得ることを目的とする。
【課題を解決するための手段】
【００１３】
上記目的を達成するため、請求項１記載の発明は、被写体の光学像を電子像信号に変換する撮像手段と、前記撮像手段によって撮像された電子像信号を記録用紙にプリント出力するプリンタ装置と、少なくとも１つ以上の撮像モードを設定する撮像モード設定手段と、撮像された被写体の撮像モードを検出する検出手段とを有し、検出された撮像モードに応じて、プリンタ装置内に装着された少なくとも１種類以上の印刷用紙を選択することを特徴とする。
【００１４】
請求項２記載の発明は、被写体の光学像を電子像信号に変換する撮像手段と、前記撮像手段によって撮像された電子像信号を記録用紙にプリント出力するプリンタ装置と、少なくとも１つ以上の撮像モードを設定する撮像モード設定手段と、撮像された被写体の撮像モードを検出する検出手段とを有し、検出された撮像モードに応じて、プリンタ装置内に装着された少なくとも１種類以上のインクを選択することを特徴とする。
【００１５】
請求項３記載の発明は、被写体の光学像を電子像信号に変換する撮像手段と、前記撮像手段によって撮像された電子像信号を記録用紙にプリント出力するプリンタ装置と、少なくとも１つ以上の撮像モードを設定する撮像モード設定手段と、撮像された被写体の撮像モードを検出する検出手段とを有し、検出された撮像モードに応じて、プリンタ装置内に装着された少なくとも１種類以上の印刷用紙若しくはインクを自動的に選択することを特徴とする。
【００１６】
請求項４記載の発明は、請求項１〜３の何れかに記載の発明において、インクとは水性インク又は油性インクであり、印刷用紙とは高画質印刷用紙又は普通画質印刷用紙であることを特徴とする。
【発明の効果】
【００１７】
本発明においては、カメラの撮影情報により、印刷用紙とインクの種類を自動的に選択することで、プリンタ内蔵カメラを扱い易く、画質とコストパフォーマンスも向上させること可能となる。
【００１８】
請求項１記載の発明によれば、撮影モードに応じて、プリンタ内蔵カメラに装着された数種類の印刷用紙を自動的に選択することで、撮影者は特別な画像加工を制御しなくでも、撮影の情報により、最適の印刷画像をプリントすることができる。
【００１９】
請求項２記載の発明によれば、撮影モードに応じて、プリンタ内蔵カメラに装着された数種類のインクを自動的に選択することで、撮影者は特別な画像加工を制御しなくでも、撮影の情報によって、一段上の印刷画像を印刷することができる。
【００２０】
請求項３記載の発明によれば、撮影モードに応じて、プリンタ内蔵カメラに装着された数種類の印刷用紙とインクを自動的に組み合わせて切り替えることで、撮影者は特別な画像加工を制御しなくでも、撮影の情報に従って最良な印刷画像をプリントすることができる。
【００２１】
請求項４記載の発明によれば、インクは水性インク又は油性インク等のものであり、印刷用紙は高画質対応印刷用紙又は普通画質対応印刷用紙等のものであることで、撮影の情報に応じて、印刷紙とインクは一番適している組合せにて常に一番良い画質画像をプリントすることができる。
【発明を実施するための最良の形態】
【００２２】
以下に本発明の実施の形態を添付図面に基づいて説明する。
【００２３】
＜実施の形態１＞
図１は本発明に係るプリンタ内蔵カメラの斜視図であり、カメラ本体１１にインクジェット式のプリントが本体の背面側に内蔵されている。
【００２４】
１２は撮影鏡筒であり、その光軸１３の被写体側の像を撮影鏡筒１２により取り入れ、撮影される被写界の光学像をカメラ本体１１に内蔵された撮影素子に結像し、該撮影素子によって光学像を電子像信号に変換した撮影画像は、カメラ本体１１の磁気等の媒体に記憶されていく。そして、記憶された画像情報は撮影者の印刷指示操作によりプリント用紙に視認可能に印刷が開始される。
【００２５】
１４は印刷された印刷用紙であり、カメラ本体１１の開口部１５より印刷が進むに連れて排出されてくる。即ち、印刷が全て完了しない状態であっても、印刷されたプリンタ像の一部を撮影者が見ることができる。
【００２６】
１６はカメラの背面に設けられた撮影画像を表示する液晶ディスプレイであり、又、本実施の形態では通常の撮影モードと、夜景モード、ポートレートモード等の数種類のモードを有し、具体的にはモード切替えスイッチ１７にて行われている。
【００２７】
図２はカメラ本体１１の背蓋１１ａを開けた状態を示しており、２４は印刷用のプリンタヘッド、２２はプリンタヘッドに設けられた各色のノズル、２３はノズル２２から射出されるインクである。ここで、インク２３のノズル２２からの射出方向は光軸１３に平行でカメラの像面側から被写体側に向かっている。
【００２８】
一般の撮影者はカメラを構え、そのままカメラを保持した状態で印刷の指示を行う。そして、印刷終了するまでの経過をその状態で観察している。そのために両手でカメラを構え、カメラの光軸方向被写体側は地面方向を向いていることが多い。
【００２９】
そのように姿勢が安定している状態でインク２３の射出量を制御すると常に綺麗な印刷が早く行えるので、インク２３の射出方向を光軸方向被写体側に揃えている。
【００３０】
このようにカメラの背面側に像がプリントされる配置すると、撮影者は撮影が完了し、そのままカメラを持ち換えないでプリント像の印刷状態を見ることができ、撮影者にとって扱い易いプリント内蔵カメラになる。
【００３１】
図３は本発明に係る実施形態の要部構成ブロック図、図４はフォローチャートであり、このフォローはカメラの主電源操作の後に画像印刷モードになるとスタートする。
【００３２】
図４のフォローチャートに基づいて、基本的な撮影とプリントに関わるフローを説明する。
【００３３】
撮影者が撮影を行う場合、撮影者は撮影モード設定手段３２を用いて撮影モードの設定を行う（＃４００１）。
【００３４】
本実施の形態では通常の全自動撮影モードと、夜景モード、ポートレートモード等の数種類のモードを有し、撮影モード設定手段３２は、具体的にはモード切替えスイッチ１７にて行われ、この信号がマイコン３１に伝送される。
【００３５】
撮影者が撮影に際して、シャッターボタン１８を第１ストロークまで押し込むとＳＷ１信号３７が入力する（＃４００２）、即ち、このステップ＃４００２では信号がＯＮしたかを判断し、ＯＮしていれば次のステップ＃４００３に進み、マイコン３１は撮影手段３３を駆動し、露出制御値の決定や、測距情報の決定、ストロボの発光の有無等、露出動作に必要な諸条件の決定を行う。
【００３６】
撮影者が実際に撮影を実行するために、更にシャッターボタン１８を押し込むとマイコン３１にはＳＷ２信号３８が入力する（＃４００４）。即ち、このステップ＃４００４ではＳＷ２がＯＮしたかを判断し、ＯＮしていれば、次のステップ＃４００５へ進み、このステップ＃４００５では、マイコン３１は撮影手段３３を介して焦点合わせのための撮影鏡筒駆動や、シャッターの速度制御、絞りの開口量制御、又、必要であればストロボ発光等の一連の撮影動作を行い、次のステップ＃４００６へ進み、このステップ＃４００６では、撮影鏡筒１２を通し、その光軸１３の被写体側の像を取り入れ、撮影される被写界の光学像をカメラ本体に内蔵された撮影素子に結像し、撮影素子に入力する画像情報を一時保存メモリ媒体手段３４にと取り込む（＃４００６）。
【００３７】
そのマイコン３１は、表示手段３５、具体的には液晶ディスプレイ１６を作動して今撮影された画像情報を表示する（＃４００７）。この表示手段３５は、撮影時、常に撮像素子に結像される被写体像を更新しながら表示し、撮影ファインダを兼用しており、撮影後は撮影した画像を表示する。撮影動作としては以上の作用を繰り返すことによってメモリ媒体手段３４に画像情報が蓄積されていく。
【００３８】
そして、撮影者が撮影画像をプリント出力所望した場合には、プリント出力のモード設定をプリント出力モード設定手段３６によって行う（＃４００８）。
【００３９】
本実施の形態では、通常の全自動プリントモードと、高画質印刷用紙モード、普通画質印刷用紙モード等の数種類のモードを有し、プリント出力モード設定手段３６は、具体的には切替えボタン１９にて行われ、この信号がマイコン３１に伝送される。
【００４０】
即ち、このステップ＃４００８では切替えボタン１９が操作したかを判断し、操作していれば、次のステップ＃４００９へ進み、このステップ＃４００９では、マイコン３１は撮影モード設定手段３２とプリント出力モード設定手段３６を介して、最適な画像をプリントアウトするように、プリンタ装置内に装着された少なくとも１種類以上の印刷用紙を自動的に選ぶ動作を行う。
【００４１】
ここで、全自動撮影モードと全自動プリントモードが選択された場合には、マイコン３１は撮影手段３３から得た画像情報に対して画像の明るさと輝度を計算し、その結果に応じて、複数種類の印刷用紙から最適なものを選び、画像をプリントアウトする。
【００４２】
次に、メモリ媒体手段３４に取り込まれた画像情報を画像送りボタン２０によって、表示手段３５にそれらの画像を小さなコマで並べて表示させ、複数の記憶画像を順次系列的に表示する。具体的には、液晶ディスプレイ１６を見ながら検索して、プリント出力したい画像情報を表示する。
【００４３】
今までの撮影画像をこの表示手段３５で確認し、プリントしたい撮影画像を選択し、その画像を表示手段３５に表示させる。ここでプリントボタン２１を押すと、プリント信号ＰＲ３９が入力し、マイコン３１はプリント動作を開始する（＃４０１０）。
【００４４】
そして、メモリ媒体手段３４に蓄えられた画像情報は、撮影者の印刷指示操作により印刷用紙に視認可能に印刷が開始される。カメラ本体１１の開口部１５より印刷が進むに連れて排出されてくる。又、勿論撮影直後の像を表示したまま、その像をプリントすることもできる。
【００４５】
＜実施の形態２＞
図５は本発明の実施の形態２を示したフォローチャートである。
【００４６】
本実施の形態における構造は、前記実施の形態１のものとほぼ同じであるため、実施の形態１に示した構造要素と同じものは、図５においても図１〜図４と同じ符号で表示し、これらの構造要素については説明を省略する。
【００４７】
図５において、本実施の形態で実施の形態１と異なるのは、撮影者が撮影画像をプリント出力所望した場合には、プリント出力のモード設定をプリント出力モード設定手段３６によって行う（＃４００８）。
【００４８】
本実施の形態では通常の全自動プリントモードと、油性インクモード、水性インクモード等の数種類のモードを有し、プリント出力モード設定手段３６は、具体的には切替えボタン１９にて行われ、この信号がマイコン３１に伝送される。
【００４９】
即ち、このステップ＃４００８では切替えボタン１９が操作したかを判断し、操作していれば、次のステップ＃５００９へ進み、このステップ＃５００９では、マイコン３１は撮影モード設定手段３２とプリント出力モード設定手段３６を介して、最適な画像をプリントアウトするように、プリンタ装置内に装着された少なくとも１種類以上のインクを自動的に選ぶ動作を行う。
【００５０】
ここで、全自動撮影モードと全自動プリントモードが選択された場合には、マイコン３１は撮影手段３３から得た画像情報に対して画像の明るさと輝度を計算し、その結果に応じて、複数種類のインクから最適なものを選び、画像をプリントアウトする。
【００５１】
＜実施の形態３＞
図６は本発明の実施の形態３を示したフォローチャートである。
【００５２】
本実施の形態における構造は、前記実施の形態１のものとほぼ同じであるため、実施の形態１に示した構造要素と同じものは、図６においても図１〜図４と同じ符号で表示し、これらの構造要素については説明を省略する。
【００５３】
図６において、本実施の形態で実施の形態１と異なるのは、撮影者が撮影画像をプリント出力所望した場合には、プリント出力のモード設定をプリント出力モード設定手段３６によって行う（＃４００８）。
【００５４】
本実施の形態では、通常の全自動プリントモードと、油性インクモード、水性インクモード、高画質印刷用紙モード、普通画質印刷用紙モード等の数種類のモードを有し、プリント出力モード設定手段３６は、具体的には切替えボタン１９にて行われ、この信号がマイコン３１に伝送される。
【００５５】
即ち、このステップ＃４００８では切替えボタン１９が操作したかを判断し、操作していれば、次のステップ＃６００９へ進み、このステップ＃６００９では、マイコン３１は撮影モード設定手段３２とプリント出力モード設定手段３６を介して、最適な画像をプリントアウトするように、プリンタ装置内に装着された少なくとも１種類以上の印刷用紙とインクは自動的に選ぶ動作を行う。
【００５６】
ここで、全自動撮影モードと全自動プリントモードが選択された場合には、マイコン３１は、撮影手段３３から得た画像情報に対して画像の明るさと輝度を計算し、その結果に応じて、インクと印刷用紙の組み合わせたものから最適なものを選び、画像をプリントアウトする。
【００５７】
インクと印刷用紙の組み合わせたものとは、水性インクと高画質印刷用紙との組合せ、水性インクと普通画質印刷用紙との組合せ、油性インクと高画質印刷用紙との組合せ、油性インクと普通画質印刷用紙との組合せ等のものであること。本実施の形態における全自動撮影モードと全自動プリントモードは一例であり、他の撮影モードとプリントモードであっても同様の効果を得られるのは言うまでもない。
【産業上の利用可能性】
【００５８】
本発明は、静止画を記録するカメラと画像プリンタを一体的に構成したプリンタ内蔵カメラに適用して、特別な画像加工を制御しなくでも、撮影の情報により、最適の印刷画像をプリントすることができる等の効果を得ることができる。
【図面の簡単な説明】
【００５９】
【図１】プリンタ内蔵カメラの斜視図である。
【図２】カメラ本体の背蓋を開けた状態を示す図である。
【図３】要部構成ブロック図である。
【図４】本発明の実施の形態１のフォローチャートである。
【図５】本発明の実施の形態２のフォローチャートである。
【図６】本発明の実施の形態３のフォローチャートである。
【符号の説明】
【００６０】
１１    カメラ本体
１１ａ    背蓋
１２    撮影鏡筒
１３    光軸
１４    印刷用紙
１５    開口部
１６    液晶ディスプレイ
１７    モード切替えスイッチ
１８    シャッターボタン
１９    切替えボタン
２０    画像送りボタン
２１    プリントボタン
２２    ノズル
２３    インク
２４    プリンタヘッド
３１    マイコン
３２    撮影モード設定手段
３３    撮影手段
３４    メモリ媒体手段
３５    表示手段
３６    プリンタ出力設定手段
３７    ＳＷ１
３８    ＳＷ２
３９    ＰＲ
【図１】
2005144746.tif 000003
【図２】
2005144746.tif 000004
【図３】
2005144746.tif 000005
【図４】
2005144746.tif 000006
【図５】
2005144746.tif 000007
【図６】
2005144746.tif 000008